(57)【要約】【課題】より確実に回路基板に対する不正を検知することが可能な遊技機を提供する。【解決手段】遊技機を制御する基板が基板ケースに収容され、基板ケースが遊技機本体としての前枠１２に取り付けられた遊技機であって、基板ケースは、前枠１２と対峙するベース体１１０ｂと、ベース体１１０ｂに対して変位することで、基板ケースの収容空間を開閉するカバー体１１０ａとを有し、ベース体１１０ｂの外面のうち前枠１２と対峙する部分である底面１１０ｃと、遊技機本体の外面のうち底面１１０ｃと対峙する部分である前枠側取付面１１５ａとの間に配置され、一面が底面１１０ｃに固着され、他面が前枠側取付面１１５ａに固着されるＲＦタグ１１２を備え、前枠１２は、カバー体１１０ａの変位方向に位置し、カバー体１１０ａのベース体１１０ｂに対する変位を規制する障害物１１１を有する。【選択図】図３
2008279017.tif 000002
【特許請求の範囲】
【請求項１】
遊技機を制御する基板が基板ケースに収容され、当該基板ケースが遊技機本体に取り付けられた遊技機であって、
前記基板ケースは、
前記遊技機本体と対峙するベース体と、
前記ベース体に対して変位することで、前記基板ケースの収容空間を開閉するカバー体とを有し、
前記ベース体の外面のうち前記遊技機本体と対峙する部分である第１面と、前記遊技機本体の外面のうち前記第１面と対峙する部分である第２面との間に配置され、一面が前記第１面に固着され、他面が前記第２面に固着されるＲＦタグを備え、
前記遊技機本体は、
前記カバー体の変位方向に位置し、前記カバー体の前記ベース体に対する変位を規制する規制壁を有する
ことを特徴とする遊技機。
【発明の詳細な説明】
【技術分野】
【０００１】
本発明は、遊技機に関する。
【背景技術】
【０００２】
従来、パチンコ遊技機などの遊技機が備える回路基板は、不正行為を防止するために透明な基板ケースに収容されている。また、不正行為がなされているか否かが容易に判別できるように前記基板ケースは、カシメ構造など破壊しなければ開放することのできない封印構造が採用されたり、さらに、基板ケースを構成する複数のケース体の境界をまたぐように剥がした痕跡が残るシールが貼り付けられたりする。
【０００３】
さらに、不正を容易に発見するためにＩＣチップとアンテナとを備えるシールが提案されている（例えば、特許文献１参照）。特許文献１に記載のシールは、剥がす力に伴う応力によって一部が破壊される脆性を有するアンテナを備える。不正行為が行われるとアンテナが破壊されるため、外部のリーダと通信が不能となり、目視によることなく不正行為が行われたことを検知できる。
【特許文献１】特開２００６−３０５０３７号公報
【発明の開示】
【発明が解決しようとする課題】
【０００４】
しかしながら、従来の技術は、シールを慎重に剥がし取ることにより不正の発覚を逃れられるという問題がある。例えば、特許文献１では、シールを剥がし取る際に、アンテナが破壊され易い構造のシールを提案されているものの、シールに直接触れることができ、何らかの方法でリーダと通信可能な状態でシールが剥がし取られる可能性は残存している。
【０００５】
本発明は、上記の問題を解決するためになされたもので、より確実に回路基板に対する不正を検知することが可能な遊技機の提供を目的とする。
【課題を解決するための手段】
【０００６】
上記目的を達成するために、本発明に係る遊技機は、遊技機を制御する基板が基板ケースに収容され、当該基板ケースが遊技機本体に取り付けられた遊技機であって、前記基板ケースは、前記遊技機本体と対峙するベース体と、前記ベース体に対して変位することで、前記基板ケースの収容空間を開閉するカバー体とを有し、前記ベース体の外面のうち前記遊技機本体と対峙する部分である第１面と、前記遊技機本体の外面のうち前記第１面と対峙する部分である第２面との間に配置され、一面が前記第１面に固着され、他面が前記第２面に固着されるＲＦタグを備え、前記遊技機本体は、前記カバー体の変位方向に位置し、前記カバー体の前記ベース体に対する変位を規制する規制壁を有する。
【０００７】
このように、基板ケースのベース体が対峙する遊技機本体には規制壁が設けられ、ベース体と遊技機本体との間にＲＦタグが固着される。そのため、基板ケースに収容される基板に対して不正を行おうとする者が基板ケースを開けるためには、規制壁による規制を回避できるように基板ケースを遊技機本体から移動させなければならない。ＲＦタグの一面は、ベース体の外面のうち遊技機本体と対峙する部分である第１面に固着され、ＲＦタグの他面は、遊技機本体の外面のうち第１面と対峙する遊技機本体の部分である第２面に固着されているため、基板ケースを遊技機本体から移動させる時に、ＲＦタグには、張力やせん断力がかかる。この張力やせん断力により、アンテナがＩＣチップから分離したり、アンテナ自体が分断されたり、アンテナの形状が歪められたりする。そのため、ＲＦタグとリーダと通信が不可能になる。したがって、リーダとの通信に異常が発生するため、リーダの利用者はそのリーダの受信に基づいて容易に不正行為を知ることが可能になる。
【発明を実施するための最良の形態】
【０００８】
以下、本発明に係る実施の形態を図面に沿って説明する。
【０００９】
図１は、本実施形態のパチンコ遊技機１００を正面方向から示す斜視図である。
【００１０】
同図に示されるように、パチンコ遊技機１００は、外枠１１と、前枠１２と、ガラス扉１３とを備え、ガラス扉１３の背部には遊技球５が転落する遊技盤１４を備えている。
【００１１】
外枠１１は、パチンコ遊技機１００の各構成要素を保持するための基礎となる枠体であり、矩形状の枠体となっている。また、外枠１１の下部前面を覆うように幕板３１が外枠１１と一体に備えられている。外枠１１は、パチンコホールなど設置されている台島に直接固定される部材であり、台島と外枠１１のみとを固着することによりパチンコ遊技機１００が台島に設置されることとなる。
【００１２】
幕板３１は、遊技球５を貯留する下皿１７の下方に遊技球５を運搬するための箱（いわゆるドル箱）を配置した状態で、前枠１２を開放できるスペースを確保するために設けられる部分であり、当該幕板３１には、スピーカーなど（図示せず）演出用の部材が取り付けられることがある。
【００１３】
遊技機本体としての前枠１２は、遊技盤１４等や、各種制御基板などが直接的に、また取り付け用部材を介して間接的に取り付けられる部材である。また、前枠１２は、外枠１１の前端面左側とヒンジ１を介して取り付けられており、外枠１１に対して前枠１２が回動可能となされる扉状となっている。すなわち、台島に設置されたパチンコ遊技機１００の前枠１２を扉のように回動すると、パチンコ遊技機１００の背部を露出させるように開放することが可能となっている。
【００１４】
また、前枠１２の前面下部には遊技者が操作できる遊技球５を貯留するための上皿１６や下皿１７が設けられ、下皿１７の右方には、遊技者が回転させることにより遊技球５の射出の可否を選択し、また、遊技球５の射出速度を変更するためのハンドル１８が設けられている。
【００１５】
ガラス扉１３は、前枠１２の前面にヒンジ２を介して装着される部材である。このガラス扉１３は円形孔状の窓部３を有し、当該窓部３を背面から覆うようにガラス板が取り付けられている。
【００１６】
遊技盤１４は、遊技球５が転落する遊技領域を形成するための木製や樹脂製の部材であり、遊技球５を複雑に転落させるための釘や、大当たりを判定するためのトリガーとなる始動口１５や、大当たり遊技中に遊技球５を受け取るために開放される大入賞口１９などの他、装飾図柄が表示される表示装置２１が取り付けられる部材である。また、遊技盤１４の中央部には遊技に関する図柄が表示される表示装置２１が取り付けられている。
【００１７】
ここで、遊技盤１４に取り付けられている始動口１５は、左右に開閉可能な羽が設けられた可変タイプの始動口である。前記羽は、遊技盤１４の背面に設けられた駆動源及び駆動機構により、その開閉が制御されている。そして、羽が開かれた状態では、羽が閉ざされた状態よりも高確率で遊技球５が始動口１５に入賞することができるようになっている。
【００１８】
図２は、パチンコ遊技機１００を背面方向から示す斜視図である。
【００１９】
同図に示されるように、パチンコ遊技機１００には、装飾ランプや液晶ディスプレイによる表示制御をする表示サブ基板１０５と、各種音声の出力制御をする音声基板１０６と、入賞時におけるパチンコ遊技機の動作等を含むパチンコ遊技機の主要な動作を制御する主基板１０７と、遊技球の払い出し動作を制御する払出基板１０８と、各基板等に電源を供給する電源基板１０９とを含む各種基板が透明な基板ケースに収納された状態で取り付けられている。例えば、主基板１０７を収納する基板ケース（以下、「主基板ケース」という。）１１０は、遊技機本体としての前枠１２の前枠側取付面（１１５ａ）に取り付けられる。
【００２０】
図３は、主基板を収納する主基板ケース１１０の構成とそれを遊技機本体としての前枠１２に取り付ける態様を示す図である。
【００２１】
主基板ケース１１０は、同図に示すように、カバー体１１０ａとベース体１１０ｂとから構成される。
【００２２】
カバー体１１０ａは、その両端をベース体１１０ｂが有する溝１１６に嵌め合わせてスライドさせることにより、ベース体１１０ｂと一体に組みつけられる。カバー体１１０ａは、組み付けられることで、図示しない主基板１０７が収容される収容空間を閉じた状態にする。
【００２３】
また、カバー体１１０ａは、スライド移動によりベース体１１０ｂに対して変位する。カバー体１１０ａがベース体１１０ｂに対して変位することによって、主基板ケース１１０の収容空間は開閉される。
【００２４】
このような主基板ケース１１０の構造上、主基板１０７に不正行為をするには、主基板ケース１１０を開かれた状態にするために、カバー体１１０ａをスライド移動させる空間が必要になる。
【００２５】
主基板ケース１１０は、遊技機本体としての前枠１２にネジ１１３により取り付けられる。
【００２６】
主基板ケース１１０のベース体１１０ｂは、ベース体１１０ｂの外面のうち、第１面としてのベース体１１０ｂの底面１１０ｃが遊技機本体としての前枠１２と対峙する。また、遊技機本体としての前枠１２は、前枠１２の外面のうち、第２面としての前枠側取付面１１５ａが前記第１面としての底面１１０ｃと対峙する。
【００２７】
なお、主基板ケース１１０が取り付けられる遊技機本体は、前枠１２に限らず、遊技盤１４、遊技機の各種構成部品が取り付けられるメインセット、遊技球の流路を形成する球樋等でもよい。また、第１面としてのベース体１１０ｂの底面１１０ｃする第２面は、遊技機本体を構成する部材の外面のうち、主基板ケース１１０が取付可能な部分であればよい。
【００２８】
障害物１１１は、前枠１２に固定された壁である。また、障害物１１１は、一定の高さを有する。図３では、一部を切り欠いた障害物１１１を示す。
【００２９】
障害物１１１は、主基板ケース１１０の収容空間を解放する際にカバー体１１０ａをスライド移動させる方向にあり、主基板ケース１１０が前枠１２に取り付けられた状態においてカバー体１１０ａのベース体１１０ｂに対する変位を規制する規制壁として機能する。そのため、障害物１１１は、前枠１２に取り付けられたカバー体１１０ａの変位を規制できるだけの高さを有する。
【００３０】
主基板ケース１１０が前枠１２に取り付けられると、ベース体１１０ｂに組み付けられたカバー体１１０ａのスライド方向の一面が障害物１１１と当接する。このように取り付けられることにより、主基板ケース１１０は、前枠１２から取り外さない限り、解放できなくなる。
【００３１】
障害物１１１は、遊技機本体としての前枠１２に一体的に設けられることが好ましい。前枠１２と一体的に設けられることにより、障害物１１１の着脱は困難になるため、主基板ケース１１０の開放を効果的に妨げることが可能になる。
【００３２】
なお、障害物１１１は、他の基板ケースなど、遊技機の各種構成部品でもよい。
【００３３】
ＲＦタグ１１２は、ＲＦタグ１１２固有の情報である識別情報を記憶保持しているＩＣチップと、外部のリーダと電波を送受信するアンテナとを備え、外部から加えられる力によりリーダとの通信機能を損なうように破壊され易いという脆弱性を有する。
【００３４】
このようなＲＦタグ１１２は、図４に示すように、第１面としての主基板ケース１１０の底面１１０ｃと第２面としての前枠側取付面１１５ａとの間に配置される。
【００３５】
ＲＦタグ１１２は、両面に接着剤が塗布されている。ＲＦタグ１１２の一面１１２ａは、そこに塗布された接着剤により、第１面としてのベース体１１０ｂの底面１１０ｃに固着される。また、ＲＦタグ１１２の他面１１２ｂは、そこに塗布された接着剤により、ケース側取付面１１０ｃに固着される。
【００３６】
これにより、主基板ケース１１０が前枠１２に取り付けられると、ＲＦタグ１１２は、主基板ケース１１０の底面１１０ｃと前枠側取付面１１５ａとの間に架橋状に固着される。
【００３７】
上記のように、主基板ケース１１０の収容空間を開放するには、図５に示す矢印方向にカバー体１１０ａをスライドさせる必要がある。主基板ケース１１０が前枠１２に取り付けられた状態では、障害物１１１があるためカバー体１１０ａを取り外し、主基板ケース１１０の収容空間を開放することはできない。
【００３８】
主基板ケース１１０の収容空間を解放するためには、主基板ケース１１０のネジ１１３を取り外し、カバー体１１０ａが障害物１１１によって阻害されることなくスライド可能な位置に主基板ケース１１０を移動させる必要がある。主基板ケース１１０を移動させるため、主基板ケース１１０を前枠１２から取り外す際に、ＲＦタグ１１２はリーダとの通信が不可能に破壊される。
【００３９】
すなわち、ＲＦタグ１１２の両面は主基板ケース１１０の底面１１０ｃと前枠側取付面１１５ａとのそれぞれに固着されているため、主基板ケース１１０を移動させると、ＲＦタグ１１２に張力やせん断力がかかる。ＲＦタグ１１２は、一定の形状であるアンテナがＩＣチップと接続していることにより、リーダと通信可能であるが、ＲＦタグ１１２に力がかかるため、ＲＦタグ１１２の脆弱性により、アンテナがＩＣチップから分離したり、アンテナが切り離されたり、アンテナの形状が歪められたりする。そのため、ＲＦタグは、破壊されリーダとの通信が不可能になる。
【００４０】
このように、主基板ケース１１０の収容空間の解放を規制する障害物１１１を設けることにより、主基板ケース１１０を前枠１２に取り付けた状態で、主基板１０７に不正行為を行うことがほぼ不可能になる。また、ベース体１１０ｂの底面１１０ｃにＲＦタグ１１２を固着することにより、解放時にＲＦタグ１１２が不可避的に破壊され、リーダを利用して不正行為を容易に検知することが可能になる。
【００４１】
図６は、不正行為を検知するためのリーダ２１０を示す図である。
【００４２】
リーダ２１０は、電波を送受信する読取部２１０ａとＲＦタグ１１２の異常を検知する本体２１０ｂとを備える。本体２１０ｂは、図示しない記憶媒体を有しており、その記憶媒体にあらかじめＲＦタグ１１２に固有の識別情報とパチンコ遊技機１００とを１対１に関連付ける関連情報が格納登録されている。
【００４３】
利用者は、リーダ２１０の電源を入れ、リーダ２１０の読取部２１０ａをパチンコ遊技機１００にかざす。これにより、リーダ２１０の本体２１０ｂは、パチンコ遊技機１００のＲＦタグ１１２からの応答として読取部２１０ａが電波を受信した場合に、その電波に含まれる識別情報と関連情報とを照合することにより、不正行為を検知する。具体的には、応答としての電波を受信しない場合、および応答として受信した電波に含まれる識別情報が記憶媒体に登録されていない場合に、ＲＦタグ１１２に異常があると判定して、不正行為を検知する。
【００４４】
また、本体２１０ｂは、応答として受信した電波に含まれる識別情報が記憶媒体に登録されている場合に、ＲＦタグ１１２に異常がないと判定され、不正行為はないと判断される。図６の本体２１０ｂに示す「ＯＫ」は、ディスプレイに不正がないことを示す表示の一例である。
【００４５】
このような表示により、利用者は検知された不正行為を知ることが可能になる。
【００４６】
ここで、主基板１０７のメンテナンスなどのために、正規の業者などが主基板ケース１１０を前枠１２から取り外す場合にもＲＦタグ１１２が破壊される。正規の者であれば、新たなＲＦタグ１１２が固着される。
【００４７】
ここで、新たなＲＦタグ１１２のＩＣチップが記憶保持している識別情報は、元のＲＦタグ１１２のＩＣチップが記憶保持していた識別情報と異なっている。新たなＲＦタグ１１２のＩＣチップが記憶保持している識別情報は、それとパチンコ遊技機とを関連付ける関連情報として、リーダ２１０やパチンコ遊技機１００を管理する装置などに登録される。
【００４８】
なお、ＲＦタグ１１２は、少なくとも一部が主基板ケース１１０の底面１１０ｃと前枠１２の本体側取付面１１５ａとのそれぞれに固着されていればよい。
【００４９】
図７は、ＲＦタグを固着する方法の一変形例を示す図である。
【００５０】
同図に示すＲＦタグ２１２は、一面の一部に接着剤２１３ｂが塗布され、他面の一部に接着剤２１３ａが塗布されている。ＲＦタグ２１２の一面は、接着剤２１３ｂにより、第１面としてのベース体１１０ｂの底面１１０ｃに固着される。また、ＲＦタグ２１２の他面は、接着剤２１３ａにより、第２面としての前枠側取付面１１５ａに固着される。
【００５１】
このように、ＲＦタグ２１２は、第１面としてのベース体１１０ｂの底面１１０ｃと、第２面としての前枠側取付面１１５ａとの間に配置され、主基板ケース１１０を前枠１２から一定以上移動させた場合に、一定以上の強度で自身に張力やせん断力がかかる強さで、主基板ケース１１０の外面の一部と遊技機本体としての前枠１２の外面の一部とのそれぞれに固着されていればよい。
【００５２】
なお、図３に示す前枠１２のネジ穴１１４の入り口近傍は、ネジの入り口から奥方向に径が小さくなるテーパ加工が施される。これにより、ネジ１１３がネジ穴１１４に誘導される。前枠１２と主基板ケース１１０との間にＲＦタグ１１２を挟んだ状態で、ネジ１１３とネジ穴１１４との位置関係を調整すると、ＲＦタグ１１２が前枠側取付面１１５ａとベース体１１０ｂの底面１１０ｃとの間で擦り合わされるために破壊される危険がある。ネジ穴１１４の入り口近傍のテーパ加工のような主基板ケース１１０を前枠１２のような遊技機本体の取り付け位置に誘導するガイドを設けることにより、主基板ケース１１０の取り付けに時にＲＦタグ１１２が破壊させることを防ぐことが可能になる。
【００５３】
また、このようなガイドは、主基板ケースの底面に設けられる位置決めのための位置決め突起と、遊技機本体に設けられる位置決め穴との嵌め合いにより実現されてもよい。これにより、主基板ケース１１０の取り付けに時にＲＦタグが破壊されることを防ぐことが可能になる。
【００５４】
なお、本発明は基板の種類にかかわらず、スライド式で開閉する基板ケースに適用できる。これにより、各基板に対する不正行為をより確実に検知することが可能になる。
【００５５】
なお、基板ケースは開き戸のように開閉する形状でもよい。
【００５６】
図８はこのような開き戸式の基板ケース３１０の例を示す図である。
【００５７】
本図の基板ケース３１０は、ベース体３１０ｂと、カバー体３１０ａとにより構成される。
【００５８】
カバー体３１０ａは、軸３１０ｃを中心に回動することにより、ベース体３１０ｂに対して変位する。カバー体３１０ａがベース体３１０ｂに対して変位することによって、主基板ケース（図示しない）の収容空間は開閉される。
【００５９】
このような開き戸式の基板ケース３１０も、実施の形態の主基板ケース１１０と同様に、遊技機本体としての前枠１２に取り付けられる。基板ケース３１０が前枠１２に取り付けられる場合、第１面としてのベース体３１０ｂの底面３１０ｄが前枠１２と対峙する。
【００６０】
図９は、開き戸式の基板ケース３１０での障害物３１１の例を示す図である。
【００６１】
本図に示すように、第１面としてのベース体３１０ｂの底面３１０ｄは、実施の形態と同様に、第２面としての前枠１２の前枠側取付面１１５ｂと対峙する。
【００６２】
また、ＲＦタグ１１２は、第１面としてのベース体３１０ｂの底面３１０ｄと第２面としての前枠１２の前枠側取付面１１５ｂとの間に配置される。ＲＦタグ１１２の一面は、第１面としてのベース体３１０ｂの底面３１０ｄに固着される。ＲＦタグ１１２の他面は、ベース体３１０ｂの底面３１０ｄに固着される。
【００６３】
障害物３１１は、前枠１２に固定された壁である。障害物３１１は、基板ケース３１０が遊技機本体としての前枠１２に取り付けられた状態で、基板ケース３１０の収容空間を解放する際にカバー体３１０ａを回転させる方向に、カバー体３１０ａと当接する部位を有する。カバー体３１０ａと当接する部位により、障害物３１１は、カバー体３１０ａのベース体３１０ｂに対する変位を規制する。
【００６４】
このような障害物３１１により、基板ケース３１０を前枠１２に取り付けたままでは、基板ケース３１０の収容空間を開放することはできない。基板ケース３１０に収容される基板に対して不正行為をするには、ベース体３１０ｂの底面３１０ｄを前枠側取付面１１５ｂから移動させる必要がある。
【００６５】
上述のように、ＲＦタグ１１２の各面はベース体３１０ｂの底面３１０ｄとベース体３１０ｂの底面３１０ｄとにそれぞれ固着されている。基板ケース３１０の収容空間を開放するために、基板ケース３１０を移動させると、ＲＦタグ１１２には力がかかる。そのため、ＲＦタグは破壊され、リーダとの通信が不可能になる。
【００６６】
このように、基板ケース３１０に収容される基板に不正行為をした場合、ＲＦタグ１１２が破壊され、不正行為の痕跡が残る。ＲＦタグ１１２が破壊されたか否かは、リーダ２１０の反応によって容易に判断できる。したがって、このような変形例においても、実施の形態と同様に、不正行為を容易に検知することが可能になる。
【産業上の利用可能性】
【００６７】
本発明は、開閉可能な基板ケースを備える遊技機に適用できる。
【図面の簡単な説明】
【００６８】
【図１】本実施形態のパチンコ遊技機を正面方向から示す斜視図。
【図２】パチンコ遊技機を背面方向から示す斜視図。
【図３】主基板を収納する主基板ケースの構成とそれを遊技機本体としての前枠に取り付ける態様を示す図。
【図４】前枠に取り付けた主基板ケースの断面の一部を拡大した図。
【図５】前枠に取り付けた主基板ケースの斜視図。
【図６】不正行為を検知するためのリーダを示す図。
【図７】ＲＦタグを固着する方法の一変形例を示す図。
【図８】開き戸式の基板ケースの例を示す図。
【図９】開き戸式の基板ケースでの障害物の例を示す図
【符号の説明】
【００６９】
１２…前枠、１００…パチンコ遊技機、１１０…主基板ケース、１１０ａ…カバー体、１１０ｂ…ベース体、１１０ｃ…底面、１１１…障害物、１１２…ＲＦタグ、１１５…前枠側取付面、１１６…溝
【図１】
2008279017.tif 000003
【図２】
2008279017.tif 000004
【図３】
2008279017.tif 000005
【図４】
2008279017.tif 000006
【図５】
2008279017.tif 000007
【図６】
2008279017.tif 000008
【図７】
2008279017.tif 000009
【図８】
2008279017.tif 000010
【図９】
2008279017.tif 000011